(57)【要約】      （修正有）【課題】かさばらず、かつ貼り付けられた伝票から、受領者控えだけでなく、受領者控え・配達用宛名欄・情報記載欄等の伝票本体を全て容易に剥がすことが可能な伝票を提供する。【解決手段】各々別々に剥離できる複数の部分が設けられた伝票本体と、当該伝票本体を荷物に貼付けするための台紙の２層から構成され、当該台紙の裏面には、長手方向の両端部を除き剥離剤と粘着剤とが交互に配列され，かつ折り部より折った場合一体に貼着されるべく、折り重ねた時に互いに齟齬した位置に配列されるように設けられ、当該台紙の表面には当該伝票本体が剥離可能に接着されており、かつ前記伝票本体の長手の長さが台紙より小さいこと、からなる。【選択図】図１
0003146421.tif 000002
【実用新案登録請求の範囲】
【請求項１】
各々別々に剥離できる複数の部分が設けられた伝票本体と、当該伝票本体を荷物に貼付けするための台紙の２層から構成され、
当該台紙の裏面には、長手方向の両端部を除き剥離剤と粘着剤とが交互に配列され，かつ折り部より折った場合一体に貼着されるべく、折り重ねた時に互いに齟齬した位置に配列されるように設けられ、
当該台紙の表面には当該伝票本体が剥離可能に接着されており、かつ前記伝票本体の長手の長さが台紙より小さいことを特徴とする伝票。
【請求項２】
前記台紙と前記伝票本体が、圧着又は擬似接着若しくは感熱粘着により接着され、剥離後の前記伝票本体の接着面が粘着性を有しないことを特徴とする請求項１に記載の伝票。
【請求項３】
前記折り部が前記台紙の中央に当たる線以外の部分に設けられていることを特徴とする請求項１又は２に記載の伝票。
【請求項４】
前記伝票本体の複数の部分に、剥がしやすくするためのつまみ部が設けられていることを特徴とする請求項１から３のいずれか一項に記載の伝票。
【考案の詳細な説明】
【技術分野】
【０００１】
本考案は、物品等に貼付して、主として配送等に使用する伝票類に関する。
【背景技術】
【０００２】
従来、物品等に貼付して使用される配送伝票等は、剥離紙の上に受領者控えや配達用宛名欄等が重ね合わされているものが多く、かさばり扱いが不便であった。特に、受領者控えや配送用宛名欄それぞれに剥離紙がついている場合には剥離後大量のゴミが出るという問題があった。
【０００３】
そのため、かさばりをなくし、剥離紙を不要にした、受領者控え（配送票）と配達用宛名欄（配送用宛名欄）を備えた伝票が、例えば特開２０００−４３４４８に記載されている。
【０００４】
【特許文献１】特開２０００−４３４４８（図１）
【０００５】
一方、最近では個人情報保護や情報の秘匿が特に要求されていることから、貼り付けられた伝票から、受領者控えだけでなく、配達用宛名欄や情報記載欄も全て剥がすことが必要となることが大変多くなっている。
しかしながら、従来の技術では、かさばり扱いが不便な伝票を使用するか、配達用宛名欄や情報記載欄が強力に物品に接着されてしまい無理に剥がすには大変な労力と時間が必要となる伝票を使用するかしかない、という問題点があった。
さらに、裏に接着剤が付いた伝票をダンボール等から剥がしシュレッダー等で破棄処理しようとすると、粘着剤が刃に付着しそのシュレッダーを痛めたり寿命を縮めてしまうという問題点があった。
【考案の開示】
【考案が解決しようとする課題】
【０００６】
そこで、本考案の目的は、かさばらず、かつ貼り付けられた伝票から、受領者控えだけでなく、受領者控え・配達用宛名欄・情報記載欄等の伝票本体を全て容易に剥がすことが可能な伝票を提供することである。さらには、剥離後の伝票本体を破棄処理する際シュレッダー等を痛めない伝票を提供することである。
【課題を解決するための手段】
【０００７】
当該目的を達成するため、本考案の伝票は、各々別々に剥離できる複数の部分が設けられた伝票本体と、当該伝票本体を荷物に貼付けするための台紙の２層から構成され、当該台紙の裏面には、長手方向の両端部を除き剥離剤と粘着剤とが交互に配列され，かつ折り部より折った場合一体に貼着されるべく、折り重ねた時に互いに齟齬した位置に配列されるように設けられ、当該台紙の表面には当該伝票本体が剥離可能に接着されており、かつ前記伝票本体の長手の長さが台紙より小さいことからなる。
【０００８】
また、前記台紙と前記伝票本体が、圧着又は擬似接着若しくは感熱粘着により接着され、剥離後の前記伝票本体の接着面が粘着性を有しないことが好適である。
また、前記折り部が前記台紙の中央に当たる線以外の部分に設けられていることが好適である。
また、前記伝票本体の複数の部分に、剥がしやすくするためのつまみ部が設けられていることが好適である。
【０００９】
本考案の伝票は、物品に貼り付けられる前は、折り部より折り畳まれ、接着剤と剥離剤が噛み合って接着され４層の構造となる。折り畳まれた伝票は、手でつまみ広げて、容易に物品に貼り付けることができる。
特に、折り部が台紙の中央に当たる線以外の部分、即ち中央から左右どちらかに離れて設けられていると、折り畳んだときに両端部が揃わずにずれるので、より容易につまんで広げることができる。
【００１０】
各々別々に剥離できる複数の部分は、例えば配達用宛名欄・受領者控え・情報記載欄等から構成される。したがって、伝票の用途を満たす限り、伝票本体は配達用宛名欄・受領者控えの２つの部分から構成されていてもよく、また情報記載欄を加えて３つの部分から構成されてもよく、それ以外に何らかの情報記載欄や空白欄など、より多くの部分有から構成されていても良いことはいうまでもない。
すなわち、伝票本体を全て剥がし、台紙だけを物品に残すことが簡単に可能である。この際、前記伝票本体の複数の部分に、剥がしやすくするためのつまみ部が設けられていると、より容易に剥がすことができる。つまみ部は、例えば「ここから開く」などの案内文のみでも良いし、そのつまみ部だけ圧着せず剥がせるようになっていても良く、即ち剥がし安くなるものであれば良い。
【００１１】
さらに、前記台紙と前記伝票本体が、圧着又は擬似接着若しくは感熱粘着により接着されており、剥離後の前記伝票本体の接着面が常温または平常の状態では粘着性を有しないので、剥離後の伝票本体を処理する際に、シュレッダーを痛めたり寿命を縮めてしまうことがないものである。
【考案の効果】
【００１２】
本考案は以上の構成を有するので、使用の際は折りたたまれた伝票の両端部を簡単につまむことが出来、手で容易に広げて、物品に貼り付けることができる。貼り付けられた伝票は２層で構成され、かさばりは全くないものである。
また、物品配送時や配送後など、伝票本体の各部分を所望時にそれぞれ剥がし、物品には台紙のみを残すことが容易に可能である。
また、伝票本体を処理する際に、シュレッダー等を痛めることもないものである。
さらに、下記に示すように、本願の構成は２枚の用紙から一度に大量に製造可能であり、製造効率の向上にも役立つという効果も有する。
【考案を実施するための最良の形態】
【００１３】
本考案の実施の形態の一例を図面にしたがって説明する。
【００１４】
図１は、本考案の伝票の表面を示す図であり、図２は本考案の伝票の裏面を示す図である。考案の理解を容易にするために、伝票本体１及び台紙２は厚みをもたせて図示しているが、実際には通常の伝票と同様に厚みは殆どないものである。
【００１５】
図１に示すように、本考案に係る伝票は、配達用宛名欄３・受領者控え４・情報記載欄５が設けられた伝票本体１と、当該伝票本体１を荷物に貼付けするための台紙２の２層から構成されている。なお、本実施例では伝票本体１は３つの部分から成るが、２つの部分から構成されても良いし、３つ以上であっても良い。
また、図２に示すように、本考案の台紙２の裏面には、長手方向の両端部６，６’を除き剥離剤９と粘着剤１０とが交互に配列され，かつ折り部７より折った場合一体に貼着されるべく、折り重ねた時に互いに齟齬した位置に配列されるように設けられている。即ち、折り部７から折り曲げた時に、粘着剤９と剥離剤１０が噛み合って重なり合うので、折り曲げて貼着された後に、剥がすことが可能となる。
【００１６】
そして、本考案の伝票は物品に貼り付けられる以前は折り部７により折り畳まれ、図３に示すような４層の構造を取る。この際、折り部７は台紙の中央に当たる線以外の部分、即ち左右どちらかにずれて配置されている。さらに、前記伝票本体１の長手の長さが台紙２より小さい。このようにすることで、図３に示すように折り畳んだ時には、両端部６，６’は、揃わずにずれて露出する。したがって、使用者は両端部６，６’をより簡単につまんで広げることができるものである。
【００１７】
図４に示すように、配達用宛名欄３・受領者控え４・情報記載欄５は、台紙２に剥離可能に圧着又は擬似接着若しくは感熱接着されており、全て剥がすことができる。従って、これらを全て剥がした場合、物品１１には台紙２しか残らない。そのため、伝票に関する一切の情報を残さないようにすることが可能である。そして、剥離後の前記伝票本体１の接着面は常温または平常の状態では粘着性を有しないため、剥がされた伝票本体１をシュレッダーで処理しても痛めることがない。
なお、圧着されている配達用宛名欄３・受領者控え４・情報記載欄５には、剥がしやすくするためのつまみ部８が設けられている。つまみ部８は、接着されていないためつまみやすくなっている。
【００１８】
また、本考案の伝票は、伝票本体１及び台紙２となる２枚の用紙を重ねることで製造できるので、これまでのかさばる伝票に比べ、一度に大量に生産することが出来、生産効率が飛躍的に向上するものである。なお、伝票本体１の長手方向の長さを台紙２より小さくするためには、ハーフカットすればよい。
【図面の簡単な説明】
【００１９】
【図１】本考案の伝票の表面を示す図である。
【図２】本考案の伝票の裏面を示す図である。
【図３】本考案の伝票を折り畳まれた状態を示す図である。
【図４】物品から伝票本体を剥がそうとする図である。
【符号の説明】
【００２０】
１        伝票本体
２        台紙
３        配達用宛名欄
４        受領者控え
５        情報記載欄
６        両端部
７        折り部
８        つまみ部
９        剥離剤塗布部分
１０      粘着剤塗布部分
１１      物品
【図１】
0003146421.tif 000003
【図２】
0003146421.tif 000004
【図３】
0003146421.tif 000005
【図４】
0003146421.tif 000006